(57)【特許請求の範囲】
【請求項１】
口頸部（１２）を起立した容器体（Ａ）と、
口頸部（１２）外周に螺着した螺筒（２０）の上端より支持筒（２２）を起立した筒部材（Ｂ）と、
筒部材（Ｂ）上端を被覆して嵌着した環状の基体（Ｃ１）上に蓋体（Ｃ２）を開閉可能に設けており、上記基体（Ｃ１）は筒部材（Ｂ）の外面に嵌合した第１係合筒（３０）の上端から内向きの第２フランジ（３２）を介して筒部材（Ｂ）の内面に液密に当接した第２シール筒（３３）を垂下しており、上記蓋体（Ｃ２）は上記第１係合筒（３０）にヒンジ（４１）を介して連結した第２係合筒（４０）の上端より蓋部（４３）を延設し、離脱可能な係合手段を介して蓋体（Ｃ２）を基体（Ｃ１）に係合させ、且つ、上記蓋部（４３）の中央部に注出口（４４）を穿設してなる塗布栓（Ｃ）と、
蓋体（Ｃ２）周囲に嵌着した固定リング（Ｄ）により蓋体（Ｃ２）上に固定した塗布体（Ｅ）と、
筒部材（Ｂ）の支持筒（２２）外周に周壁（７０）下部を嵌合させて着脱可能に装着したオーバーキャップ（Ｆ）とを備え、
基体（Ｃ１）からの詰め替え口としての蓋体（Ｃ２）の開放が可能に構成した塗布容器において、
上記蓋部（４３）は、蓋部の周縁部であって第２係合筒（４０）の上端から内方突出する肉薄部分（４３ａ）と、この肉薄部分の内周縁から隆起する筒壁部と、この筒壁部の上端より延設して蓋部の中央部を形成する肉厚部分（４３ｂ）とからなり、第２係合筒（４０）の上端に対して肉厚部分（４３ｂ）に比べて変形容易な肉薄部分（４３ａ）を介して連結され、この肉薄部分の内周縁側から垂下する第３シール筒（４５）を設け、この第３シール筒（４５）を上記第２シール筒（３３）内面に液密に係合させてなる塗布容器。
【請求項２】
上記塗布栓（Ｃ）は、基体（Ｃ１）の上面に立設した第２係止筒（３４）の外周に第２係合筒（４０）を離脱が可能な係合手段を介して係合させたことを特徴とする、請求項１に記載の塗布容器。
【請求項３】
オーバーキャップ（Ｆ）の頂壁（７１）裏面より垂設した固定筒部（７２）の下面を固定リング（Ｄ）の上面に当接固定させた請求項１又は請求項２のいずれか１項に記載の塗布容器。
【発明の詳細な説明】
【技術分野】
【０００１】
本発明は塗布容器に関する。
【背景技術】
【０００２】
塗布容器として、先端に塗布ボールを備えたもの（例えば、特許文献１参照）や、スポンジ状の塗布体を先端に備えたもの（例えば、特許文献２参照）が種々提案されている。      
【０００３】
前者は、容器と、塗布ボールを保持する保持筒を備えた中栓と、キャップとからなり、保持筒内周面下端部に、塗布ボール面と接合する上端面を有する突出リングを設け、該突出リングと、保持筒の内周面、塗布ボールとの間に液貯め部を形成させ、保持筒の内周面に溝を設けるとともに、保持筒上端を密封するようにしている。そして、塗布終了後に、塗布ボールに付着した内容物を、塗布ボールとボール保持筒との間に貯留することによって、保持筒上端に溜まる内容物を少なくし、保持筒上端からの液垂れを確実に防止するとともに、塗布開始時に塗布ボールを押当て転動させると同時に、塗布が始まり、空塗りをなくすようにしている。
【０００４】
後者は、注出口を開口した弁座板に、容器口に嵌入する嵌入筒を設けた中栓体と、中栓体の弁座板に取り付けられるとともに、注出口に対応させて注出口を開口した弾性変形自在の塗布体と、中栓体の弁座板に下方から当接して注出口を閉鎖する閉鎖弁に、その注出口を貫通して塗布体の注出口の内部に至る栓棒を立設するとともに、中栓体の嵌入筒に下端を固着した弾性片を垂設した弁体とからなり、弁体の栓棒の周囲に複数本の縦溝を設けている。そして棒栓が押し戻された時に、この棒栓が塗布体の注出口内で傾かないようになると共に、注出口と閉鎖弁の隙間が断続したものとなるので、不使用時に中栓体の注出口を完全に閉塞しておくことができ、しかも容器内の塗布液の安定的な液出ができる。
【先行技術文献】
【特許文献】
【０００５】
【特許文献１】特開２００５−１８６９９７号公報
【特許文献２】特開平１０−１１３５９９号公報
【発明の概要】
【発明が解決しようとする課題】
【０００６】
上記各特許文献の塗布容器は上記した優れたものであるが、それぞれ液の詰め替えに関しては考慮が払われておらず、おそらくそのまま使い切りが通常であり、仮に詰め替えを行おうとすればその詰め替えにきわめて面倒が伴うことが予想される。
【０００７】
本発明は上記した点に鑑みてなされたもので、容器体内の液の使用後の簡単な詰め替えが可能であり、簡単に開放、閉塞することができ、しかも液の塗布に関しては表面積の広い塗布面による塗布、及び塗布後の液の引き延ばしを容易に行え、収容液が洗剤の場合には引き延ばしながら汚れを落とす機能も発揮する塗布容器を提案するものである。
【課題を解決するための手段】
【０００８】
第１の手段として、以下の通り構成した。即ち、口頸部１２を起立した容器体Ａと、
口頸部１２外周に螺着した螺筒２０の上端より支持筒２２を起立した筒部材Ｂと、
筒部材Ｂ上端を被覆して嵌着した環状の基体Ｃ１上に蓋体Ｃ２を開閉可能に設けており、上記基体Ｃ１は筒部材Ｂの外面に嵌合した第１係合筒３０の上端から内向きの第２フランジ３２を介して筒部材Ｂの内面に液密に当接した第２シール筒３３を垂下しており、上記蓋体Ｃ２は上記第１係合筒３０にヒンジ４１を介して連結した第２係合筒４０の上端より蓋部４３を延設し、離脱可能な係合手段を介して蓋体Ｃ２を基体Ｃ１に係合させ、且つ、上記蓋部４３の中央部に注出口４４を穿設してなる塗布栓Ｃと、
蓋体Ｃ２周囲に嵌着した固定リングＤにより蓋体Ｃ２上に固定した塗布体Ｅと、
筒部材Ｂの支持筒２２外周に周壁７０下部を嵌合させて着脱可能に装着したオーバーキャップＦとを備え、
基体Ｃ１からの詰め替え口としての蓋体Ｃ２の開放が可能に構成した塗布容器において、
上記蓋部４３は、蓋部の周縁部であって第２係合筒４０の上端から内方突出する肉薄部分４３ａと、この肉薄部分の内周縁から隆起する筒壁部と、この筒壁部の上端より延設して蓋部の中央部を形成する肉厚部分４３ｂとからなり、第２係合筒４０の上端に対して肉厚部分４３ｂに比べて変形容易な肉薄部分４３ａを介して連結され、この肉薄部分の内周縁側から垂下する第３シール筒４５を設け、この第３シール筒４５を上記第２シール筒３３内面に液密に係合させてなる。
【０００９】
第２の手段として、以下の通り構成した。即ち、第１の手段に於いて、上記塗布栓Ｃは、基体Ｃ１の上面に立設した第２係止筒３４の外周に第２係合筒４０を離脱が可能な係合手段を介して係合させた。
【００１０】
第３の手段として、以下の通り構成した。即ち、第１の手段又は第２の手段のいずれかの手段に於いて、オーバーキャップＦの頂壁71裏面より垂設した固定筒部72の下面を固定リングＤの上面に当接固定させた。
【発明の効果】
【００１１】
本発明によれば、基体C1からの詰め替え口としての蓋体C2の開放が可能に構成したので容易に液の詰め替えを行える利点がある。また、例えば、蓋体C2を基体C1から開いて、そこから収容液を注出しての大量塗布も可能であり、大量塗布後蓋体C2を閉めて塗布体Ｅにより引き延ばすことができる便利もある。更に、筒部材Ｂの存在で容器体Ａの口頸部12からの長さを長くすることができ、例えば、製造時に筒部材Ｂの長さの相違するものを多種用意しておけば内容液の種類等に応じて複数種類の長さの塗布容器を形成できる利点もある。また、全ての部材は螺着或いは嵌着により組み付けているため、その組み付け操作も容易である。
【００１２】
塗布栓Ｃは、基体Ｃ１の上面に立設した第２係止筒３４の外周に第２係合筒４０を離脱が可能な係合手段を介して係合させ、周縁部が肉薄部分４３ａで中央部が肉厚部分４３ｂをなす蓋部４３を第２係合筒４０の上端より延設し、蓋部４３下面に垂設した第３シール筒４５を基体Ｃ１の内面に液密に係合させてなる場合には、周縁部に肉薄部分４３ａが存在するため比較的変形し易く、その結果、第２係止筒３４外周からの第２係合筒４０の離脱が容易であり、また、中央には肉厚部分４３ｂが存在するため、全体としての剛性、保形性は充分保て、良好な開閉機能が可能である。
【００１３】
オーバーキャップＦの頂壁71裏面より垂設した固定筒部72の下面を固定リングＤの上面に当接固定させた場合には、オーバーキャップＦの装着により塗布体Ｅの基体C1に対する蓋体C2の係合が不十分であっても、固定筒部72によりそれらの係合を確実にすることができる利点がある。
【図面の簡単な説明】
【００１４】
【図１】塗布容器の縦断面図である。（実施例１）
【図２】塗布容器の塗布栓部分を開いた状態の縦断面図である。（実施例１）
【発明を実施するための形態】
【００１５】
以下、本発明の形態を図面を参照して説明する。
【００１６】
図１及び図２は塗布容器１の一例を示す。塗布容器１は、容器体Ａと、筒部材Ｂと、塗布栓Ｃと、固定リングＤと、塗布体Ｅと、オーバーキャップＦとを備えている。
【００１７】
容器体Ａは、胴部10より肩部11を介して口頸部12を起立したもので、合成樹脂により形成されている。本例では胴部10を圧搾可能に構成しており、胴部10の圧搾により収容液を注出口へより速やかに導入できる如く構成している。
【００１８】
筒部材Ｂは合成樹脂製で、口頸部12外周に螺着した螺筒20上端より内方へ、口頸部12上に下面を密接する第１フランジ21を延設し、第１フランジ21の内周縁部より上方に支持筒22を起立している。本例では第１フランジ21の下面に突設したシール突条23を口頸部12上面に圧接してこの部分に液密性を付与している。また、第１フランジ21の内周下部には口頸部12内周に密嵌する第１シール筒24を垂設している。また、支持筒22の外周には螺条を周設し、内面上端部はテ−パ状に形成され、外面上端部は階段状に形成されて上端部を縮径しており、また、支持筒22の上面内周縁部より第１係止筒25を起立している。第１係止筒25の外周には第１係止突条26を突周設している。
【００１９】
塗布栓Ｃは、基体C1と、蓋体C2とから構成され、合成樹脂により一体に形成されている。
【００２０】
基体C1は、筒部材Ｂの第１係止筒25外周に第１係合筒30を嵌合させ、第１係合筒30内周の第１係合突条31を第１係止筒25の第１係止突条26に乗り越え係合させて抜け出しの防止を図っている。また、第１係合筒30の上端より内方へ第２フランジ32を延設し、第２フランジ32の内周縁より第１係止筒25内周に密嵌させた第２シール筒33を垂設している。また、第２フランジ32の上面内周縁部からは第２係止筒34を起立し、第２係止筒34の外周に第２係止突条35を突周設している。また、第２シール筒33で周囲を囲繞する基体C1の開口は詰め替え口としても機能するもので、従って、それを満たすだけの径を備えている。径の大きさは種々選択できる。
【００２１】
蓋体C2は、基体C1の第２係止筒34の外周に嵌合させた第２係合筒40を有し、第２係合筒40の後部下端と、基体C1の第１係合筒30後部上端とをヒンジ41を介して回動可能に連結して基体C1上を開閉可能に設けている。第２係合筒40の内周に突周設した第２係合突条42を第２係止筒34の第２係止突条35に乗り越え係合して抜け出しの防止を図っているが、この第２係合突条42と第２係止突条35との係合は、蓋体C2を開くことで比較的簡単に係合が外れる如く構成している。
【００２２】
また、第２係合筒４０の上端縁より内方へ蓋部４３を延設している。蓋部４３は、比較すると肉薄である肉薄部分４３ａを外周縁部に備え、肉薄部分４３ａの内周縁より隆起した筒壁部を介して肉厚部分４３ｂを延設している。隆起した肉厚部分４３ｂ には複数の注出口４４を穿設している。また、蓋部４３の肉薄部分４３ａの内周縁より第２シール筒３３内周に液密に嵌合する第３シール筒４５を垂設している。更に、隆起した肉厚部分４３ｂの外周縁上面より第３係止筒４６を起立し、その外面に第３係止突条４７を突周設している。第２係合筒40の前面には指掛け用の摘み片３６を突設している。
【００２３】
固定リングＤは合成樹脂製で、塗布体Ｅを蓋体C2に係止固定させるもので、蓋体C2の第３係止筒46外周に嵌合させた第３係合筒50の上端より内方へフランジ状の頂板51を延設し、頂板51の内周縁より上方へ固定筒52を起立している。また、フランジ状の頂板51裏面からは第３係止筒46内面に液密に嵌合する第４シール筒53を垂設している。第３係合筒50の内面に突周設した第３係合突条54を第３係止筒46の第３係止突条47に乗り越え係合させてこの部分の抜け出しを防止している。
【００２４】
塗布体Ｅは、多孔質部材、例えば、焼結体、合成樹脂発泡体、スポンジその他により形成されたもので、ドーム状の本体60の周面下部より外方へ環状突部61を突設した形態をなしている。尚、塗布体Ｅはドーム状の本体を備えたものに限らず、柱状の本体であってもその他の形態の本体であっても塗布が可能な形態であれば採用できる。また、内容液が洗剤の場合には焼結体のように比較的硬度の大きい材質を選択することで、塗布とともに被塗布部の汚れの除去も行える便利がある。
【００２５】
そして、塗布栓蓋体Ｃ２の蓋部４３上に塗布体Ｅを固着し、第３係止筒４６に嵌合させた固定リングＤの頂板５１下面内周縁部により環状突部６１上面を、固定筒５２内面により外周面を係止している。
【００２６】
オーバーキャップＦは合成樹脂製で、支持筒22の外周に内周下部を螺着した周壁70の上端縁より頂壁71を延設し、頂壁71の裏面より垂設した固定筒部72により、固定リングＤの上面を係止している。
【００２７】
上記の如く構成した塗布容器１を使用する場合について説明する。図１の状態からオーバーキャップＦを外し、例えば、塗布容器１を傾けて塗布体Ｅを被塗布部に当接し、容器体Ａの胴部10を圧搾して注出口44から塗布体Ｅを介して被塗布部に液を塗布する。塗布した液は塗布体Ｅにより延ばすことができる。尚、容器体Ａの胴部10を圧搾して液の吐出を行う場合に限らず、容器体を傾けることで液の吐出を行うことも可能である。その場合必ずしも容器体Ａの胴部10が圧搾可能に構成されていなくても良い。
【００２８】
また、容器体Ａ内の液が無くなった場合には、蓋体C2を基体C1から開いて基体C1の開口から詰め替え液の注入を行える。
【符号の説明】
【００２９】
１…塗布容器
Ａ…容器体
10…胴部、11…肩部、12…口頸部
Ｂ…筒部材
20…螺筒、21…第１フランジ、22…支持筒、23…シール突条、24…第１シール筒、
25…第１係止筒、26…第１係止突条
Ｃ…塗布栓
C1…基体
30…第１係合筒、31…第１係合突条、32…第２フランジ、33…第２シール筒、
34…第２係止筒、35…第２係止突条、36…摘み片
C2…蓋体
40…第２係合筒、41…ヒンジ、42…第２係合突条、43…蓋部、43a …肉薄部分、
43b …肉厚部分、44…注出口、45…第３シール筒、46…第３係止筒、47…第３係止突条
Ｄ…固定リング
50…第３係合筒、51…頂板、52…固定筒、53…第４シール筒、54…第３係合突条
Ｅ…塗布体
60…本体、61…環状突部
Ｆ…オーバーキャップ
70…周壁、71…頂壁、72…固定筒部
【図１】
0005590554.tif 000002
【図２】
0005590554.tif 000003